(57)【特許請求の範囲】
【請求項１】
女性および男性のユーザに適合された使い捨てパンツ型の性別吸収性物品（１）の配列（４７）であって、
女性用に適合された第１のサイズの吸収性物品（１）と女性用に適合された第２のサイズの吸収性物品（１）とを含む吸収性物品（１）の第１のサブ配列（４８）であって、第２のサイズが第１のサイズよりも大きい、第１のサブ配列（４８）と、
男性用の第３のサイズの吸収性物品（１）と男性用に適合された第４の吸収性物品（１）とを含む吸収性物品（１）の第２のサブ配列（４９）であって、第４のサイズが第３のサイズよりも大きい、第２のサブ配列（４９）と、
を含んでなり、
当該配列（４７）のそれぞれの吸収性物品（１）が、長手方向（Ｙ）および横方向（Ｘ）を有し、
ウエスト・エッジ（２０）、一対のレッグ・エッジ（２１ａ、２１ｂ）および一対のサイドエッジ（９ａ、９ｂ）を有するフロント・パネル（３）と、
ウエスト・エッジ（２５）、一対のレッグ・エッジ（２７ａ、２７ｂ）および一対のサイドエッジ（１０ａ、１０ｂ）を有するバック・パネル（４）と、
主に吸収性物品（１）のクロッチ部分に配置され、前記フロント・パネル（３）および前記バック・パネル（４）に接続されている吸収性インサート（２）であって、長手方向コア・エッジ（１４）、フロントコア・エッジ（１５）およびバックコア・エッジ（１６）を備えた吸収性コア（５）を有し、トップシート及びバックシートを含む吸収性インサート（２）と、
を含み、
当該配列（４７）内の各吸収性コア（５）が、吸収性物品（１）の横方向中心線（２３）からフロントコア・エッジ（１５）まで長手方向（Ｙ）に延び、フロントコア領域（４０）を画定するフロント部分と、吸収性物品（１）の前記横方向中心線（２３）からバックコア・エッジ（１６）まで長手方向（Ｙ）に延び、バックコア領域（４１）を画定するバック部分とを有し、
当該配列（４７）内の各吸収性物品（１）が、前記トップシート若しくは前記バックシート、又はその両方に取り付けられて前記長手方向コア・エッジ（１４）に沿って延びるサイド弾性部材（３０）を有し、
前記第１のサブ配列（４８）内の各吸収性物品（１）が、１.２より小さいフロントコア領域対バックコア領域の面積比を有し、
前記第２のサブ配列（４９）内の各吸収性物品（１）が、１.２より大きいフロントコア領域対バックコア領域の面積比を有し、
前記横方向中心線（２３）の間から前記第１のサブ配列（４８）の各吸収性物品（１）のフロントコア・エッジ（１５）に向かって延びるサイド弾性部材（３０）の長手方向長さ（Ｌ４）が、前記横方向中心線（２３）の間から前記第２のサブ配列の各吸収性物品（１）のフロントコア・エッジ（１５）に向かって延びるサイド弾性部材（３０）の長手方向長さ（Ｌ４）よりも小さい、
ことを特徴とする、使い捨てパンツ型の性別吸収性物品（１）の配列。
【請求項２】
前記第１のサブ配列（４８）の吸収性物品（１）の横方向（Ｘ）におけるフロント・パネル（３）の幅（Ｗ６）が、前記第２のサブ配列（４９）の吸収性物品（１）の横方向（Ｘ）におけるフロント・パネル（３）の幅（Ｗ６）と実質的に同じであることを特徴とする、請求項１に記載の使い捨てパンツ型の性別吸収性物品（１）の配列。
【請求項３】
前記第１のサブ配列（４８）の各吸収性物品（１）のフロントコア・エッジ（１５）に向かって横方向中心線（２３）間に延在するサイド弾性部材（３０）の長手方向長さ（Ｌ４）が、前記第２のサブ配列（４９）の各吸収性物品（１）のフロントコア・エッジ（１５）に向かって横方向中心線（２３）間に延在するサイド弾性部材（３０）の長手方向長さ（Ｌ４）より少なくとも１５％短いことを特徴とする、請求項１に記載の使い捨てパンツ型の性別吸収性物品（１）の配列。
【請求項４】
前記第１のサブ配列（４８）の各吸収性物品（１）のサイド弾性部材（３０）の全長（Ｌ７）が、前記第２のサブ配列（４９）の各吸収性物品（１）のサイド弾性部材（３０）の全長（Ｌ７）より少なくとも１５％短いことを特徴とする、請求項１〜３のいずれか一項に記載の使い捨てパンツ型の性別吸収性物品（１）の配列。
【請求項５】
前記配列（４７）内の各吸収性コア（５）が、長手方向（Ｙ）のコア（５）の全長（Ｌ６）の３０％である長手方向（Ｙ）の長さ（Ｌ１）を有し、フロントコア・エッジ（１５）から延びるフロントコア・セグメント（１７）を有し、
前記第２のサブ配列（４９）内の各吸収性物品（１）のフロントコア・セグメントの領域（４０）が、前記第１のサブ配列（４８）内の各吸収性物品（１）のフロントコア・セグメント（１７）の領域（４０）よりも少なくとも１.１倍大きいことを特徴とする、請求項１〜４のいずれか１項に記載の使い捨てパンツ型の性別吸収性物品（１）の配列。
【請求項６】
前記配列（４７）内の各吸収性物品（１）のフロント・パネル（３）のサイド・エッジ（９ａ、９ｂ）間の最小長手方向距離（Ｌ１２）が、反対に位置するバック・パネル（４）のサイド・エッジ（１０ａ、１０ｂ）間の最小長手方向距離（Ｌ１２）と実質的に同じであることを特徴とする、請求項１〜５のいずれか一項に記載の使い捨てパンツ型の性別吸収性物品（１）の配列。
【請求項７】
前記吸収性インサート（２）の長手方向（Ｙ）および／または横方向（Ｘ）の大きさが、当該配列（４７）内の全ての吸収性物品（１）に対して同じであることを特徴とする、請求項１〜６のいずれか一項に記載の使い捨てパンツ型の性別吸収性物品（１）の配列。
【請求項８】
前記第１のサブ配列（４８）内の全ての吸収性物品（１）が、実質的に同一の吸収性インサート（２）を有し、前記第２のサブ配列（４９）内の全ての吸収性物品（１）が、実質的に同一の吸収性インサート（２）を有することを特徴とする、請求項１〜７のいずれか一項に記載の使い捨てパンツ型の性別吸収性物品（１）の配列。
【請求項９】
前記配列（４７）内の各吸収性物品（１）が、吸収性物品（１）の横方向中心線（２３）と前記吸収性インサート（２）のバック・エッジ（５０）との間に実質的に等しい長手方向長さ（Ｌ１１）を有していることを特徴とする、請求項１〜８のいずれか１項に記載の使い捨てパンツ型の性別吸収性物品（１）の配列。
【請求項１０】
前記配列（４７）内の各吸収性物品（１）のフロント・パネル（３）およびバック・パネル（４）が、ウエスト開口部（７）および２つのレッグ開口部（８）を形成する継ぎ目によって、対向するサイド・エッジ（９ａ、９ｂ; １０、１０ｂ）で互いに接合されていることを特徴とする、請求項１〜９のいずれか一項に記載の使い捨てパンツ型の性別吸収性物品（１）の配列。
【請求項１１】
前記配列（４７）内の各吸収性物品（１）の吸収性コア（５）の最大幅が、横方向（Ｘ）で１２０〜２００ｍｍであり、前記配列（４７）内の各吸収性物品（１）の吸収性コア（５）の最小幅が、横方向（Ｘ）で６０〜１４０ｍｍであることを特徴とする、請求項１〜１０のいずれか一項に記載の使い捨てパンツ型の性別吸収性物品（１）の配列。
【請求項１２】
前記配列（４７）内の各吸収性物品（１）に対して、前記吸収性インサート（２）のフロント部分が吸収性物品（１）のフロント・パネル（３）に取り付けられ、前記吸収性インサート（２）のバック部分が吸収性物品（１）のバック・パネル（４）に取り付けられていることを特徴とする、請求項１〜１１のいずれか一項に記載の使い捨てパンツ型の性別吸収性物品（１）の配列。
【請求項１３】
前記配列（４７）内の各吸収性物品（１）のフロント・パネルおよび／またはバック・パネル（４）が、広範囲に弾性ウェブ材料からなり、前記弾性ウェブ材料が、少なくとも２枚の実質的に非弾性の互いに積層されたウェブ材料シートからなり、少なくとも２枚の前記ウェブ材料シートの間にサンドイッチされた弾性機構を有し、前記弾性機構が、幅方向に弾性化されたウェブ材料を提供するために、前記幅方向に引張状態で少なくとも２枚のシートに取り付けられていることを特徴とする、請求項１〜１２のいずれか一項に記載の使い捨てパンツ型の性別吸収性物品（１）の配列。
【請求項１４】
前記配列（４７）内の各吸収性物品（１）の弾性機構が、長さ方向および幅方向の両方に延在する弾性フィルム、または、複数の実質的に平行な弾性糸を含むことを特徴とする、請求項１〜１３のいずれか１項に記載の使い捨てパンツ型の性別吸収性物品（１）の配列。
【請求項１５】
前記配列（４７）内の各吸収性物品（１）のフロント・パネル（３）およびバック・パネル（４）が、吸収性インサート（２）によって相互に接続される個々の部品で構成されているか、或いは、前記フロント・パネル（３）および前記バック・パネル（４）が、切り出されたレッグ開口部（８）を有するワンピースのウェブ材料で作られた一体型シャーシの統合部分であり、吸収性本体が、シャーシのクロッチ部分に重なって配置されていることを特徴とする、請求項１〜１４のいずれか一項に記載の使い捨てパンツ型の性別吸収性物品（１）の配列。
【請求項１６】
前記配列（４７）内の吸収性物品（１）が、パンツオムツ、衛生パンツまたは失禁パンツであることを特徴とする、請求項１〜１５のいずれか一項に記載の使い捨てパンツ型の性別吸収性物品（１）の配列。
【請求項１７】
請求項１〜１６のいずれか一項に記載の使い捨てパンツ型の性別吸収性物品（１）の配列（１）を含んでなる、パッケージ（４６）の配列であって、
吸収性物品（１）の第１のサブ配列（４８）が、女性ユーザ用に適合され、第１のパッケージ（４２）にパッケージされた、複数の第１のサイズの吸収性物品（１）と、女性ユーザ用に適合され、第２のパッケージ（４３）にパッケージされた、複数の第２のサイズの吸収性物品（１）と、を含み、
吸収性物品（１）の第２のサブ配列（４９）が、男性ユーザ用に適合され、第３のパッケージ（４４）にパッケージされた、複数の第３のサイズの吸収性物品（１）と、男性ユーザ用に適合され、第４のパッケージ（４５）にパッケージされた、複数の第４のサイズの吸収性物品（１）と、を含み、
前記パッケージ（４６）の当該配列内の第１〜第４のパッケージ（４２〜４５）のそれぞれが、その中の使い捨てパンツ型吸収性物品の大きさおよび／または適した性別を示す外部マーキングを含んでいることを特徴とする、パッケージ（４６）の配列。
【発明の詳細な説明】
【技術分野】
【０００１】
本発明は、女性および男性のユーザのために適合された使い捨てパンツ型の性別吸収性物品の配列に関する。配列は、女性ユーザ用に適合された第１のサイズの吸収性物品と、女性ユーザ用に適合された第２のサイズの吸収性物品とを含む吸収性物品の第１のサブ配列を含み、第２のサイズは、第１のサイズよりも大きい。配列は、さらに、男性ユーザ用の第３のサイズの吸収性物品と、男性ユーザ用に適合された第４のサイズの吸収性物品とを含む吸収性物品の第２のサブ配列を含み、第４のサイズは、第３のサイズよりも大きい。
【背景技術】
【０００２】
使い捨てパンツ型の吸収性物品の分野では、吸収性物品に、より高い快適性、フィット性、並びに、個別の下着の様な視覚的外観をもたらすことが一般的に望まれている。男女の解剖学的な違いから、１種類の吸収性物品だけを持つことは必ずしも適しているとは限らない。しかし、男女で異なる製品を持つためには、製造装置が異なる必要があり、男女の性別に特化した吸収性物品の違いが多すぎるとコストが増加する。したがって、安価な製造コストを維持しながら、快適性、フィット性、および、個別の下着の様な外観の点で更なる改良が望まれる。
【発明の概要】
【発明が解決しようとする課題】
【０００３】
本発明の目的は、上述の要求に対処するために、女性および男性のユーザのために適合された使い捨てパンツ型の性別吸収性物品の配列を提供することである。この目的は、請求項１の特徴によって少なくとも部分的に達成される。本発明の変形は、従属クレームに示される。
【課題を解決するための手段】
【０００４】
本発明は、女性および男性のユーザのために適合された使い捨てパンツ型の性別吸収性物品の配列に関する。配列は、女性ユーザ用に適合された第１のサイズの吸収性物品と、女性ユーザ用に適合された第２のサイズの吸収性物品とを含む吸収性物品の第１のサブ配列を含み、第２のサイズは、第１のサイズよりも大きく、第２のサブ配列は、男性ユーザ用に適合された第３のサイズの吸収性物品と、第４のサイズの吸収性物品とを含み、第４のサイズは、第３のサイズよりも大きい。配列の各吸収性物品は、長手方向および横方向を有し、ウエスト・エッジ、一対のレッグ・エッジおよび一対のサイド・エッジを有するフロント・パネルと、ウエスト・エッジ、一対のレッグ・エッジおよび一対のサイド・エッジを有するバック・パネルと、主に吸収性物品（１）のクロッチ部分に配置され、フロントおよびバック・パネルに接続され、長手方向コア・エッジ、フロントコア・エッジおよびバックコア・エッジを有する吸収性コアを備えた吸収性インサートとを、含んでなる。配列内の各吸収性コアは、吸収性物品の横方向中心線からフロントコア・エッジまで長手方向に延び、フロントコア領域を画定するフロント部分と、吸収性物品の横方向中心線からバックコア・エッジまで長手方向に延び、バックコア領域を画定するバック部分とを有する。配列内の各吸収性物品は、長手方向コア・エッジに沿って延びるサイド弾性部材を有する。第１のサブ配列内の各吸収性物品は、１.２未満のフロントコア領域対バックコア領域比を有し、第２のサブ配列内の各吸収性物品は、１.２より大きいフロントコア領域対バックコア領域比を有し、第１のサブ配列の各吸収性物品のフロントコア・エッジに向かって延在するサイド弾性部材の長手方向長さは、第２のサブ配列の各吸収性物品のフロントコア・エッジに向かって延在するサイド弾性部材の長手方向長さよりも小さい。
【０００５】
本発明の１つの利点は、第１および第２のサブ配列内の物品が、それぞれ女性および男性の解剖学的構造に適合されることである。男性生殖器の解剖学的構造のため、男性ユーザの排尿位置は女性ユーザの場合ほど隔離されていない。男性ユーザの排尿は、陰茎の向きに応じて女性ユーザよりもはるかに広い範囲で生じる可能性がある。また、ペニスの方向は、吸収性製品の使用中に、男性ユーザの移動のためにシフトすることがある。第２のサブ配列における物品のフロントコア領域対バックコア領域の比が大きいことは、コアが、尿排出の可能性が最も高い吸収性コアの一部においてより大きな領域を有することを確実にする。これは、尿排出がコアによって吸収され、コアの外側に落ちない可能性を増加させる。女性のユーザにとって、排尿のより集中した後方の位置は、より小さなフロントコア領域対バックコア領域比を可能にする。さらに、第２のサブ配列の吸収性物品のサイド弾性部材をより前方に配置することにより、吸収性物品コア内に外方に突出するバルジの改善された形成が可能となり、男性ユーザの快適性、フィット性、並びに、漏れ防止が改善される。
【０００６】
第１のサブ配列の吸収性物品の横方向におけるフロント・パネルの幅は、第２のサブ配列の吸収性物品の横方向におけるフロント・パネルの幅と実質的に同じである。これにより、第１のサブ配列内の少なくとも１つの物品は、第２のサブ配列内の少なくとも１つの物品と横方向にフロント・パネルの実質的に同じ幅を共有するため、配列の単純化された製造が達成される。
【０００７】
吸収性物品の横方向中心線と第１のサブ配列の吸収性コアのフロントコア・エッジとの間に延在するサイド弾性部材の長手方向長さは、吸収性物品の横方向中心線と第２のサブ配列の吸収性コアのフロントコア・エッジとの間に延在するサイド弾性部材の長手方向長さよりも、少なくとも１５％短く、具体的には少なくとも２０％短く、より具体的には少なくとも２５％短くてもよい。第１および第２のサブ配列の物品のこの特徴は、第１のサブ配列内の物品の女性の解剖学的構造への適合、ならびに第２のサブ配列内の物品の男性の解剖学的構造への適合に追加される。
【０００８】
第１のサブ配列のサイド弾性部材の全長は、第２のサブ配列のサイド弾性部材の全長より少なくとも１５％短く、具体的には少なくとも２０％短く、より具体的には少なくとも２５％短くてもよい。第１および第２のサブ配列の物品のこの特徴は、第１のサブ配列内の物品の女性の解剖学的構造への適合、ならびに第２のサブ配列内の物品の男性の解剖学的構造への適合に追加される。
【０００９】
配列内の各吸収性コアは、長手方向のコアの全長の３０％であり、コアのフロント・エッジから延びる長手方向の長さを有するフロント・セグメントを有してもよく、第２のサブ配列内の各吸収性物品のフロント・セグメントの面積は、第１のサブ配列内の各吸収性物品のフロント・セグメントの面積よりも少なくとも１.１倍大きく、具体的には少なくとも１.２倍大きく、より具体的には少なくとも１.２５倍大きくてもよい。第２のサブ配列内の物品のコアのフロント・セグメントの面積よりも第２のサブ配列内の物品のコアのフロント・セグメントの面積の方が大きい利点の１つは、第２のサブ配列内の物品のコアが、尿排出の可能性が最も高いより大きな面積を有することである。これにより、尿排出がコアによって吸収され、コアの外側に落ちない可能性がさらに高くなる。
【００１０】
第２のサブ配列における各吸収性物品について、横方向のフロントコア・エッジにおけるコアの幅は、コアの残りのフロント・セグメントにおける横方向におけるコアの幅よりも小さくてもよく、第１のサブ配列における各吸収性物品について、横方向におけるフロントコア・エッジにおけるコアの幅は、コアの残りのフロント・セグメントにおける横方向におけるコアの幅と実質的に等しくてもよい。これは、コアの製造を簡素化し、コアの製造中の廃棄物を削減する。
【００１１】
配列内の各吸収性物品の、フロント・パネルのサイド・エッジとバック・パネルの反対サイド・エッジとの間の最小長手方向距離は、取り付けられていないサイド継ぎ目で測定されるように、実質的に同じであってもよい。これは、物品の製造を単純化する。
【００１２】
第１のサブ配列内のすべての吸収性物品は、実質的に同一の吸収性インサートを有し得る。これは、吸収性インサートの長さおよび幅寸法、並びに／または吸収性コアの長さおよび幅寸法のような態様に関する。これはまた、吸収能力および／またはレッグ弾性体の位置決めのような態様にも関係し得る。第１のサブ配列内のすべての吸収性製品に同一の吸収性インサートを有することにより、よりコスト効率の良い製造が可能となる。
【００１３】
第２のサブ配列内のすべての吸収性物品は、実質的に同一の吸収性インサートを有し得る。これは、吸収性インサートの長さおよび幅寸法、並びに／または吸収性コアの長さおよび幅寸法のような態様に関する。これはまた、吸収能力および／またはレッグ弾性体の位置決めのような態様にも関係し得る。第２のサブ配列内のすべての吸収性製品に同一の吸収性インサートを有することにより、よりコスト効率の良い製造が可能となる。
【００１４】
あるいは、長手方向および横方向の吸収性インサートのサイズは、配列内のすべての吸収性物品に対して実質的に同じであってもよい。これにより、物品の製造がさらに単純になる。
【００１５】
フロント・パネルとバック・パネルは、ウエスト開口部と２つのレッグ開口部を形成する継ぎ目によって、対向するサイド・エッジで互いに接合され得る。
【００１６】
配列内の各吸収性物品は、吸収性物品の横方向中心線とバック部分の吸収性インサートのエッジとの間に実質的に等しい長手方向長さを有し得る。
【００１７】
吸収性コアの最大幅は、横方向で１２０〜２００ｍｍであってもよく、吸収性コアの最小幅は、横方向で６０〜１４０ｍｍ、より具体的には８０〜１３０ｍｍの範囲であってもよい。
【００１８】
吸収性インサートの前部を吸収性物品のフロント・パネルに取り付け、吸収性インサートの後部を吸収性物品のバック・パネルに取り付けることができる。
【００１９】
フロント・パネルおよび／またはバック・パネルは、広範囲に弾性ウェブ材料で構成することができ、弾性ウェブ材料は、互いに積層され、前記少なくとも２枚のウェブ材料シートの間にサンドイッチされた弾性機構を有し、前記弾性機構は、幅方向に張力状態で前記少なくとも２枚のシートに取り付けられ、前記幅方向に弾性化されたウェブ材料を提供する。
【００２０】
弾性機構は、長さ方向および幅方向の両方に延在する弾性フィルムを含んでもよく、または弾性機構は、複数の実質的に平行な弾性糸を含んでもよい。
【００２１】
フロント・パネルとバック・パネルは、吸収性インサートによって相互に接続された個々のパーツで構成することができ、または、フロント・パネルとバック・パネルは、切り出されたレッグ開口部を有するウェブ材料の１つのピースからなる単一ピースシャーシの一体部分であってもよく、或いは、吸収性本体は、シャーシのクロッチ部分に重なって配置されてもよい。
【００２２】
吸収性物品は、パンツオムツ、衛生パンツまたは失禁パンツであってもよい。
【００２３】
本発明はまた、使い捨てパンツ型の性別吸収性物品の配列を含むパッケージの配列に関する。吸収性物品の第１のサブ配列は、女性用に適合され、第１のパッケージ内にパックされた複数の第１のサイズの吸収性物品と、女性用に適合され、第２のパッケージ内にパックされた複数の第２のサイズの吸収性物品とを含んでもよい。吸収性物品の第２のサブ配列は、男性ユーザのために複数の第３のサイズの吸収性物品を含み、第３のパッケージにパッケージされ、男性ユーザのために適合され、第４のパッケージにパッケージされた複数の第４のサイズの吸収性物品を含む。パッケージの配列内の第１〜第４のパッケージのそれぞれが、その中の使い捨てパンツ型吸収性物品の大きさおよび／または適した性別を示す外部マーキングを含む。
【図面の簡単な説明】
【００２４】
【図１ａ】本開示による吸収性物品の全体図を示す。
【図１ｂ】本開示による代替吸収性物品の全体図を示す。
【図２】展開された平坦状態における第１および第２のサブ配列の種々のサイズの吸収性物品の配列を示す。
【図３】図１の吸収性物品を、女性ユーザに適した展開平坦状態で示す。
【図４】図１の吸収性物品を、男性ユーザに適した展開平坦状態で示す。
【図５】本開示による男性ユーザに適した物品のコア形状の例を示す。
【図６】本開示による吸収性物品の代替実施態様の全体図を示す。
【図７】第１および第２のサブ配列の吸収性物品を含むパッケージの配列を示す。
【発明を実施するための形態】
【００２５】
以下、本願における種々の態様を添付の図面と共に説明し、本願を例示するが、本願発明を限定するものではなく、説明された態様の変形は、具体的に示された実施形態に限定されるものではなく、本願の他の変形に適用可能である。大きさと距離は、必ずしも一定の大きさではなく、例示的な目的のために誇張されることがある。
【００２６】
図面の図１ａにおいて、成人ユーザのために特に適合された使い捨てパンツ型吸収性物品１の例示的な実施形態が、組み立てられて使用可能な状態で概略的に図示されている。パンツ型吸収性物品１は、例えば、パンツオムツ、衛生パンツ、或いは、成人の女性または男性のユーザの使用に適した失禁パンツである。図１ａの実施例に係るパンツ型吸収性物品１は、フロント・パネル３と、バック・パネル４と、主に吸収性物品１のクロッチ部に配置され、フロント・パネル３とバック・パネル４との間のギャップを橋渡しするためにフロント・パネル３とバック・パネル４の内部側に接続された吸収性インサート２と、を有するデュアル・ピース・シャーシを含んでなる。吸収性インサート２は、体液を吸収するための吸収性コア５を含む。
【００２７】
要するに、パンツ型吸収性物品１の製造は、まず、完成した吸収性物品１のフロントおよびバック本体パネル３、４を形成する積層弾性ウェブ材料の２つの平行な連続ストリップを製造することによって行われる。
【００２８】
フロントおよびバック本体パネル３、４の積層された弾性ウェブ材料の製造は、典型的には、第１および第２の実質的に連続したウェブ材料、例えば、実質的に非弾性の不織材料の非弾性シートを、機械方向に沿って供給すると同時に、互いに平行に配置された複数の連続した弾性糸を供給することによって実施される。続いて、第１シートおよび第２シートは、第１シートと第２シートとの間に配置された複数の連続した弾性糸で互いに接合される。
【００２９】
弾性糸は、第１および第２シートに引張状態でウェブ材料と平行に取り付けられる。機械方向と平行に、すなわち横方向Ｘに配置された弾性糸は、例えば、ウェブ材料に引張状態で固定される前に、接着剤を塗布されてもよい。あるいは、ウェブ材料自体は、弾性糸をそれに固定するために、ウェブ材料に接着剤を塗布してもよい。後者では、弾性糸が吸収性物品１の横方向の長さにわたって湾曲した配向を示す場合に特に有利である。その結果、完成した積層弾性ウェブは、弾性糸が自然状態に戻ることを可能にするときに集合する。
【００３０】
しかしながら、弾性糸を引張状態に維持しながら、本方法は、最終吸収性インサート２を積層弾性ウェブの２つの平行な連続ストリップ間のギャップに配置し、吸収性インサート２が前記ストリップの両方と部分的に重なるようにし、次いで、吸収性インサート２を前記ストリップに固定する工程をさらに含む。このようにして、吸収性インサート２は、フロント・パネル３、バック・パネル４から別々に製造され、その後、適当な製造工程で前記本体パネル３、４に配置されて固定される。
【００３１】
製造方法は、任意に、平坦なフロントおよび／または平坦なバック設計をもたらすステップを含み得る。これは、フロントおよび／またはバック本体パネルの中央領域に接着剤を含まない弾性糸を有するようにすること、並びに、フロントおよび／またはバック本体パネルの中央部に位置する弾性糸の作用を中断することを実施することを含み、フロントおよび／またはバック本体パネルの中央部に位置する弾性糸の一部が、接着剤を含まず、周囲のウェブ材料に集合効果を及ぼすことなく、それらの自然な非引張状態に戻すことができ、それにより、フロントおよび／またはバック本体パネル３、４の所望の領域に平坦な領域を生成する。このような平坦な領域は、吸収性コア５がフロントおよび／またはバック本体パネル３、４と重なる領域において一般に望ましい。なぜなら、吸収性コア５上の有効な弾性糸の集合効果は、吸収性コア５の吸収能力に対して負の効果を有するとみなすことができるからである。あるいは、第２の位置における弾性手段は、コア５の領域で不活性化または切断された横方向にパンツ物品１を横切る弾性糸として適用され得る。また、フロント・セクションの下部領域の弾性手段も同様に不活性化されている。弾性糸を不活性化する１つの方法は、国際出願（ＰＣＴ／ＳＥ２０１６／０５１２２１）に開示されている。
【００３２】
吸収性インサート２を積層弾性ウェブの２つの平行な連続ストリップに固定した後、連続材料バンド全体が、実質的に吸収性インサート２の横方向Ｘに延びる折り畳みラインで折り畳まれ、積層弾性ウェブの２つの平行な連続ストリップが折り畳まれた後に重ねられる。その後、積層された弾性ウェブの２つの平行な連続ストリップは、例えば、超音波溶接を用いて材料バンドに沿った所定の一定間隔で離れた位置で互いに接合され、完成された吸収性物品１のサイド・シーム（継ぎ目）６ａ、６ｂを形成する。したがって、フロント・パネル３のサイド・エッジは、バック・パネル４の対向するサイド・エッジに永久的に取り付けられ、完成して組み立てられた吸収性物品１のサイド・シーム６ａ、６ｂを形成し、それによって、ウエスト開口部７および一対のレッグ開口部８を画定する。
【００３３】
最終ステップでは、連続材料バンドは、サイド・シーム６ａ、６ｂ内またはこれに隣接する領域で機械横方向に切断され、折り畳まれた連続材料バンドを個々の吸収性物品１に変換する。フロント・パネル３、バック・パネル３、４の積層弾性ウェブ材料が、もはや横方向Ｘにおいて延伸状態に保持されない場合、サンドイッチにされた弾性糸は、ウェブ材料を集める、すなわち横方向Ｘにおいて収縮し、積層された弾性ウェブ材料において小さな波形を形成する。このような弾性ウェブ材料の製造プロセスの例は、その全体が参照されている国際公開第２０１４／０９８６８３号に詳細に記載されている。
【００３４】
図面の図１ｂでは、成人の女性または男性のユーザに特に適合された使い捨てパンツ型吸収性物品１の第２の実施例が、組み立てられて使用可能な状態で概略的に示されている。図１ａおよび図１ｂの物品間の相違は、図１ｂの物品１が一体型シャーシであること、すなわち、フロント・パネル３、バック・パネル４は、フロント・パネル３、４を相互接続する一体型クロッチ領域を有する同一の一体型ウェブ材料に属することである。
【００３５】
図２は、平坦で、広げられ、伸張された状態にある、第１および第２のサブ配列４８、４９の種々のサイズの吸収性物品１の配列４７を概略的に示す。具体的には、図２ａは、女性ユーザ用に適合された第１のサイズの吸収性物品１を示し、図２ｂは、女性ユーザ用に適合された第２のサイズの吸収性物品１を示し、図２ｃは、男性ユーザ用に適合された第３のサイズの吸収性物品１を示し、図２ｄは、男性ユーザ用に適合された第４のサイズの吸収性物品が、平坦で組み立てられていない状態で示され、フロント・パネル３とバック・パネル４の対向するサイド・エッジ９ａ、９ｂ、１０ａ、１０ｂは、サイド・シーム６ａ、６ｂにそれぞれ取り付けられている。これは、例えば、物品の製造中にサイド・シーム６ａ、６ｂを完成させる前に吸収性物品を見直すことによって、或いは、図１ａまたは１ｂの完成した吸収性物品１のサイド・シーム６ａ、６ｂを破り、パンツ型吸収性物品１を平坦な状態に展開することによって実現され得る。パンツ型吸収性物品１は、折り畳まれていない平坦な状態で、吸収性インサート２の伸長方向と実質的に平行な長手方向Ｙを含む。横方向Ｘは、長手方向Ｙに対して垂直である。
【００３６】
図２の実施例に係る配列４７のパンツ型吸収性物品１は、ウエスト・エッジ２０、一対のレッグ・エッジ２１ａ、２１ｂ、および一対のサイド・エッジ９ａ、９ｂを有するフロント・パネル３を備えている。フロント・パネル３は、実質的に矩形の形状を有し、横方向Ｘにおけるフロント・パネル３の幅Ｗ６は、典型的には、約５５０〜７９０ｍｍの範囲であり、長手方向Ｙにおけるフロント・パネル３の全長は、典型的には、吸収性物品１のサイズに依存して、約１１０〜４００ｍｍの範囲である。
【００３７】
矩形形状のフロント・パネル３は、フロント・パネル３を弾性化するためにフロント・パネル３に加えられる弾性糸も吸収性物品１の横方向Ｘ、すなわち、製造機械の機械方向に沿って配置され得るので、コスト効率の良い製造を可能にする。直線状の弾性糸は、それほど複雑でない製造装置を必要とし、弾性糸を固定するための接着剤は、ウェブ材料のシートと弾性糸とを一緒に積層して本体パネルを形成する前に、弾性糸に直接供給され得る。さらに、長方形のフロント・パネル３は、積層ウェブ材料のシートから複雑な２次元形状を切断することによって、例えば、発生するスクラップ材料の水準が低い製造を可能にする。図２ａ〜図２ｄでは、弾性糸は示されていない。
【００３８】
図２の実施例による配列４７のパンツ型吸収性物品１はまた、ウエスト・エッジ２５、一対のレッグ・エッジ２７ａ、２７ｂ、および一対のサイド・エッジ１０ａ、１０ｂを有するバック・パネル４を含む。バック・パネル４は、ユーザのウエストに向かって配置されることを意図した実質的に長方形のメイン・セクションと、ユーザのクロッチに向かって配置されることを意図した実質的に台形の臀部カバー・セクションとからなる形状を有し得る。もちろん、前述したように、概略形状におけるあるレベルの変形も可能である。例えば、前記セクションのサイド・エッジは、例えば、非線形であってもよく、コーナーは、より丸くてもよく、横方向Ｘにおける臀部カバー・セクションの全幅は、横方向Ｘにおけるメイン・セクションの全幅よりも小さくてもよい。実質的に台形の臀部カバー・セクションは、ユーザに改良されたフィット性、快適性、並びに、下着のような視覚的外観をもたらす。
【００３９】
図１ａ〜図２ｄの実施例では、バック・パネル４のメイン・セクションは、長方形のフロント・パネル３に実質的に対応する形状を有する。すなわち、バック・パネル４の長手方向Ｙにおけるメイン・セクションの長さは、長手方向Ｙにおける長方形のフロント・パネル３の長さと実質的に等しく、横方向Ｘにおけるバック・パネル４のメイン・セクションの幅は、長方形のフロント・パネル３の横方向Ｘにおける幅Ｗ６と実質的に等しい。
【００４０】
さらなる実施例によれば、長手方向Ｙにおけるバック・パネル４のメイン・セクションの長さは、長手方向Ｙにおけるサイド・シーム６ａ、６ｂの長さと実質的に等しくてもよい。
【００４１】
図２ａ〜図２ｄの吸収性物品１は、主に吸収性物品１のクロッチ部分に位置する吸収性インサート２を有し、この吸収性インサートは、フロント・パネル３、バック・パネル４に接続されている。吸収性物品１は、長手方向コア・エッジ１４に沿って延在するサイド弾性部材３０を有する。サイド弾性部材３０は、コア５に、および／または、インサートの長手方向エッジとコア５の長手方向エッジとの間の領域のインサート２に、および／または、フロントおよび／またはバック・パネル３、４と一体的に形成された下に広がるシャーシ材料に取り付けることができる。サイド弾性部材３０は、コア５のフロント・セグメント１７の横方向サイドに沿ってサイド・ギャザー効果をもたらすように配置されている。集合（ギャザー）効果は、サイド弾性部材３０の領域内の吸収性コア５がサイド弾性部材３０の延びる方向に収縮することを意味する。フロント・セグメント１７の横方向サイドに沿った吸収性物品１の材料のこの収縮効果は、吸収性物品１内の吸収性コア５の成形に役立ち、これによって、より快適で漏れのない確実な吸収性物品１を生成する。
【００４２】
インサート２は、典型的には、長い連続ウェブから製造され、吸収性コアおよびサイド弾性部材３０は、連続ウェブの長手方向と実質的に平行なウェブ上に配置され、個々のインサート２は、連続ウェブの長手方向に垂直な連続ウェブを切断することによって形成される。したがって、サイド弾性部材３０は、通常、製造中にインサート２の全長に沿って延びるが、サイド弾性部材３０は、典型的には、サイド弾性部材３０の全長端部に沿ってインサート２の材料に固定されていないので、連続ウェブを個々のインサート２に切断すると、典型的には、スナップバックする。本明細書におけるサイド弾性部材３０の長さは、サイド弾性部材３０の有効部分、すなわち、吸収性物品１の自然状態でインサート材料に集合効果を及ぼすサイド弾性部材３０の部分を指す。本明細書におけるサイド弾性部材３０のスナップバック部分は、サイド弾性部材３０の長さの一部を構成しない。
【００４３】
それぞれの細長いサイド弾性部材３０は、互いに平行に配置され、互いにギャップを有する、例えば、２、３、または４本の弾性糸のような、１つ以上の個々の弾性糸を含み得る。配列４７内の各吸収性物品の長手方向Ｙにおけるサイド弾性部材３０の全長は、４〜２０センチメートル、具体的には５〜１５センチメートル、より具体的には５〜１０センチメートルの範囲であってもよい。
【００４４】
吸収性コア５は、吸収性物品１の横方向中心線２３からフロントコア・エッジ１５まで長手方向Ｙに延び、フロントコア領域４０を画定するフロント部分と、吸収性物品１の横方向中心線２３から吸収性コア５のバックコア・エッジ１６まで長手方向Ｙに延び、バックコア領域４１を画定するバック部分とを有する。横方向中心線２３は横方向Ｘに延び、フロント・パネル３のウエスト・エッジ２０から横方向中心線２３までの長手方向距離Ｌ１０は、フロント・パネル３のウエスト・エッジ２０からバック・パネル４のウエスト・エッジ２５まで測定された吸収性物品の長手方向長さＬ９の合計の５０％である。
【００４５】
上述したように、本願の１つの目的は、男女間の解剖学的相違および個々のサイズの必要性を考慮しつつ、低製造コストを維持しながら、快適性およびフィット性を増加させ、個別の下着の様な外観を有する吸収性物品を提供する目的で、少なくとも２つのサイズにおける性別吸収製品の配列を提供することである。本願では、２つの異なる吸収性物品の機構（特徴）が、課題を解決するように提供され、すなわち、吸収性物品がそれぞれの性別により良く適合することを可能にするように適合され、２つの吸収性物品の特徴は、サイド弾性部材３０の長手方向位置と、吸収性コアのフロント／バックの領域分布である。これら２つの吸収性物品の特徴は組み合わされて、重要であり、吸収性物品をそれぞれの性に適応させる際に有意な効果を有することが示されている。
【００４６】
詳細には、より前方に配置されたサイド弾性部材３０は、男性生殖器の領域における吸収性コアの改善された外方への膨隆形成を可能にし、それにより、快適性、フィット性、および、漏れ防止の改善を可能にすることを示している。これに応じて、より後方に配置されたサイド弾性部材３０は、女性ユーザのための快適性、フィット性、および漏れ防止の改善を可能にすることが示されている。さらに、女性と比較して男性の尿道開口部のより前方に向けられた位置のために、吸収性物品の前方にある吸収性コア領域の割合が増加すると、男性の尿吸収が改善されるが、その一方、吸収性コア領域の割合が増加すると、女性の尿吸収が改善される。
【００４７】
さらに、吸収性物品の配列の低製造コストを維持するために、吸収性物品機構のサイズは、第１のサブ配列４８内の少なくとも１つの吸収性製品と、第２のサブ配列４９内の少なくとも１つの吸収性製品と同一である。例えば、吸収性物品１の横方向Ｘにおけるフロント・パネル３の幅Ｗ６、または吸収性物品１の長手方向Ｙにおける全長Ｌ９は、第１のサブ配列４８内の少なくとも１つの吸収性物品製品と、第２のサブ配列４９内の少なくとも１つの吸収性物品製品と、実質的に同一であってもよい。
【００４８】
単一の製造ライン上で種々のタイプおよびサイズの吸収性物品を製造するには、例えば、吸収性製品の特定のサイズを考慮するなど、製造ラインのある程度の適応が必要である。したがって、フロント・パネル３の幅は重要な製造パラメータであり、配列内の２つの異なる物品に対して実質的に同じ幅を使用することにより、それぞれのタイプの吸収性物品に対する製造ラインの調整の必要性が減少するため、製造プロセスを簡略化することができる。配列内の２つの異なる物品間のフロント・パネル３の幅のわずかな偏差は、例えば、製造の変動および公差によって引き起こされる吸収性物品の小さな寸法変化のために存在し得る。この製造に起因する寸法変化は、典型的には、任意の特定の寸法の２％未満である。
【００４９】
本願による配列４７の例示的実施形態は、図２に概略的に示されている。配列４７は、図２ａに示されるように、女性ユーザに適合された第１のサイズの吸収性物品１と、図２ｂに示されるように、女性ユーザに適合された第２のサイズの吸収性物品１とを含む、吸収性物品１の第１のサブ配列４８を含み、第２のサイズは、第１のサイズよりも大きい。サイズの差異は、幅Ｗ６の増加および大きな吸収性物品の全長Ｌ９の増加に反映される。しかしながら、第１のサブ配列内のそれぞれの吸収性物品１は、一実施形態によると、同一の吸収性インサート２および吸収性コア５を有し得る。
【００５０】
配列４７は、図２ｃに示されるように、男性ユーザのための第３のサイズの吸収性物品１と、図２ｄに示されるように、男性ユーザのために適合された第４のサイズの吸収性物品１とを含む吸収性物品１の第２のサブ配列４９をさらに含み、第４のサイズは、第３のサイズよりも大きい。サイズの差異は、幅Ｗ６の増加および大きな吸収性物品の全長Ｌ９の増加に反映される。しかしながら、第２のサブ配列内のそれぞれの吸収性物品１は、一実施形態によると、同一の吸収性インサート２および吸収性コア５を有し得る。
【００５１】
第１のサブ配列４８の吸収性物品１、すなわち、例えば、図２ａおよび図２ｂの実施形態の吸収性物品によれば、吸収性物品１の横方向中心線２３とフロントコア・エッジ１５との間の領域に延在するサイド弾性体３０の長手方向長さＬ４は、吸収性物品１、すなわち、図２ｃおよび図２ｄの吸収性物品１の、横方向中心線２３と第２のサブ配列のフロントコア・エッジ１５との間の領域に延在するサイド弾性体３０の長手方向長さＬ４よりも小さい。女性用に適合した物品１のサイド弾性部材３０の長手方向長さＬ４は、２００〜４００ｍｍの範囲であってもよい。男性用に適合された物品１のサイド弾性部材３０の長手方向長さＬ４は、２５０〜４５０ｍｍの範囲であってもよい。
【００５２】
第１のサブ配列４８の各吸収性物品１のフロントコア・エッジ１５に向かって横方向中心線２３の間に延びるサイド弾性部材３０の長手方向長さＬ４は、第２のサブ配列４９の各吸収性物品１のフロントコア・エッジ１５に向かって横方向中心線２３の間に延びるサイド弾性部材３０の長手方向長さＬ４よりも少なくとも１５％短く、具体的には少なくとも２０％短く、より具体的には少なくとも２５％短い。
【００５３】
サイド弾性部材３０は、長手方向コア・エッジ１４に沿って任意の適切な長さに延び得る。例えば、サイド弾性部材３０は、コア５の後部からフロントコア・エッジ１５に向かって延び得る。第２のサブ配列４９内の各吸収性物品について、吸収性コア５のフロントコア・エッジ１５からサイド弾性部材３０のフロント・エッジまでの長手方向距離は、５０ミリメートル未満、具体的には３０ミリメートル未満とすることができる。サイド弾性部材３０は、吸収性コア５のフロントコア・エッジ１５を越えて吸収性物品１のフロント・パネルウエスト・エッジ２０に向かって延び得る。第１のサブ配列４８内の各吸収性物品について、吸収性コア５のフロントコア・エッジ１５からサイド弾性部材３０のフロント・エッジまでの長手方向距離は、１４０ミリメートル未満、具体的には１００ミリメートル未満であってもよい。
【００５４】
図２ａおよび図２ｂに概略的に示されるように、第１のサブ配列４８の第１および第２のサイズの吸収性物品１は、１.２未満のフロントコア領域対バックコア領域の面積比を有する。例えば、第１のサブ配列４８の第１および第２のサイズの吸収性物品１は、図２ａおよび図２ｂに示すように、約１.０のフロントコア領域対バックコア領域の面積比を有し得る。この比率は、バックコア領域４１とほぼ同じサイズのフロントコア領域４０に対応する。
【００５５】
第１のサブ配列４８の吸収性物品１は、例えば、約０.９〜１.２の範囲のフロントコア領域対バックコア領域の面積比を有し得る。
【００５６】
図２ｃおよび図２ｄに概略的に示されるように、第２のサブ配列４９の第１および第２のサイズの吸収性物品１は、１.２より大きいフロントコア領域対バックコア領域の面積比を有する。例えば、第２のサブ配列４９の第１および第２のサイズの吸収性物品１は、図２ｃおよび図２ｄに示されるように、約１.３のフロントコア領域対バックコア領域の面積比を有し得る。図２ｃおよび図２ｄにおいて、コア５は、フロントコア領域４０がバックコア領域４１よりも大きくなるように、フロント・パネル３のウエスト・エッジ２０に相対的に向かって配置される。
【００５７】
第２のサブ配列４９の吸収性物品１は、例えば、約１.２〜１.５の範囲のフロントコア領域対バックコア領域の面積比を有し得る。
【００５８】
上述したように、第２のサイズの吸収性物品は第１のサイズの吸収性物品より大きく、第４のサイズの吸収性物品は第３のサイズの吸収性物品より大きい。このサイズの差は、吸収性物品１の全長Ｌ９および全幅Ｗ６を変化させることによって達成され得る。典型的には、長手方向Ｙにおけるフロント・パネル３および／またはバック・パネル４の長さを変化させることによって、吸収性物品の全長Ｌ９が変化する。
【００５９】
図２に概略的に示すように、図２ａの第１のサイズの吸収性物品１の全長Ｌ９は、図２ｂの第２のサイズの吸収性物品１の全長Ｌ９よりも短い。同様に、図２ｃの第３のサイズの吸収性物品１の全長Ｌ９は、図２ｄの第４のサイズの吸収性物品１の全長Ｌ９よりも短い。
【００６０】
しかしながら、第１および第２のサイズの吸収性物品１のうちの１つの全長Ｌ９は、製造を簡単にするために、第３および第４のサイズの吸収性物品１のうちの１つの全長Ｌ９と同じである。図２において、第１のサイズの吸収性物品１の全長Ｌ９は第３のサイズの吸収性物品１の全長Ｌ９と同じであり、第２のサイズの吸収性物品１の全長Ｌ９は第４のサイズの吸収性物品１の全長Ｌ９と同じである。
【００６１】
図２に概略的に示されるように、図２ａの第１のサイズの吸収性物品１のフロント・パネル３の幅Ｗ６は、図２ｂの第２のサイズの吸収性物品１の幅Ｗ６よりも短い。同様に、図２ｃの第３のサイズの吸収性物品１の幅Ｗ６は、図２ｄの第４のサイズの吸収性物品１の幅Ｗ６よりも短い。
【００６２】
第１および第２のサイズの吸収性物品１のうちの１つの幅Ｗ６は、製造を簡単にするために、第３および第４のサイズの吸収性物品１のうちの１つの幅Ｗ６と同じである。図２において、第１のサイズの吸収性物品１の幅Ｗ６は第３のサイズの吸収性物品１の幅Ｗ６と同じであり、第２のサイズの吸収性物品１の幅Ｗ６は第４のサイズの吸収性物品１の幅Ｗ６と同じである。
【００６３】
さらに、コスト効率の良い製造をさらに可能にするために、配列内の吸収性物品１のフロント・パネル３のサイド・エッジ９ａ、９ｂと、反対に位置するバック・パネル４のサイド・エッジ１０ａ、１０ｂとの間の最小長手方向距離Ｌ１２は、実質的に同じであってもよい。配列内の各吸収性物品１内のフロント・パネル３のサイド・エッジ９ａ、９ｂと、バック・パネル４の反対に位置するサイド・エッジ１０ａ、１０ｂとの間の同じ最小長手方向距離Ｌ１２を使用して、第１のタイプの吸収性物品から別のタイプの吸収性物品へ製造を変更する際に、製造ラインの調整をより少なくすることが可能である。
【００６４】
さらに、コスト効率の良い製造をさらに可能にするために、長手方向Ｙおよび／または横方向Ｘ方向の吸収性インサート２の幅Ｗ５における吸収性インサート２の長さＬ８は、配列内のすべての吸収性物品１に対して同じであってもよい。すべてのインサートに長さＬ８および幅Ｗ５を使用することにより、製造コストを大幅に削減することができる。例えば、インサートを製造し、輸送し、ウェブの連続シート上に配置するための製造装置であって、その後、フロント・パネル３、バック・パネル４を形成するものは、単純化することができるが、より少ない変形が必要とされる。 
【００６５】
さらにコスト効率の良い製造を可能にするために、配列内の各吸収性物品１は、吸収性物品１の横方向中心線２３とバック部分のインサート２のバック・エッジとの間に実質的に等しい長さＬ１１を有し得る。コア５のサイズおよび形態は、例えば、図２ａ〜図２ｄに見られるように、異なる場合がある。配列４７内の全ての吸収性物品中の吸収性物品１の横方向中心線２３とインサート２のバック・エッジとの間に実質的に等しい長さＬ１１を有することにより、同じ製造ライン内で異なるサイズおよび異なる性別用の吸収性物品を製造するための柔軟性が増大する一方で、低コストの製造をもたらすこともできる。
【００６６】
図面の図３は、女性ユーザ用に適合された第１のサブ配列４８の使い捨てパンツ型吸収性物品１の例示的な実施形態を示す。パンツ型吸収性物品１は、ここでは、平坦な非組立状態で概略的に示されている。図２ａ〜図２ｄに示される物品１に共通する特徴は、同じ符号を有する。パンツ型吸収性物品１は、折り畳まれていない平坦な状態で、吸収性インサート２の伸長方向と実質的に平行な長手方向Ｙを含む。横方向Ｘは、長手方向Ｙに対して直交し、図３の吸収性物品１の材料や弾性領域のレイアウトなどの特性は、後述しない限り、図２の吸収性物品１の特性と同じである。
【００６７】
物品１は、主に吸収性物品１のクロッチ部分に配置された吸収性インサート２を有し、この吸収性インサートは、フロント・パネル３およびバック・パネル４に接続されている。インサート２は、吸収性コア５を含む。コア５は、長手方向Ｙにおいてコア５の全長Ｌ６の３０％であって、フロントコア・エッジ１５から延びる長さＬ１を有するフロント・セグメント１７と、長手方向Ｙにおいてコア５の全長Ｌ６の３０％であって、バックコア・エッジ１６から延びる長さＬ２を有するバック・セグメント１８と、長手方向Ｙにおいてコア５の全長Ｌ６の４０％であって、フロント・セグメント１７とバック・セグメント１８との間に位置し、長手方向Ｙの長さＬ３を有するミドル・セグメント１９とを有する。図３の例示的な実施形態では、コア５は、フロント・セグメント１７において実質的に均一な幅Ｗ１を有し、バック・セグメント１８およびミドル・セグメント１９において均一な幅Ｗ２を有し、ここで、幅は、全てのセグメント１７〜１９において同じである。
【００６８】
コア５はまた、長手方向コア・エッジ１４に沿って延在するサイド弾性部材３０を有する。全長Ｌ７を有するサイド弾性部材３０は、コア５の長手方向サイド１４に沿ったサイド集合効果をもたらすように配置されている。集合効果は、サイド弾性部材３０の領域内の吸収性コア５がサイド弾性部材３０の延長方向に収縮することを意味する。フロント・セグメント１７の横方向サイドに沿った吸収性物品１の材料のこの収縮効果は、吸収性物品１内の吸収性コア５の成形に役立ち、これによって、より快適で漏れを確実に防止する吸収性物品１を生成する。
【００６９】
第１のサブ配列４８の各吸収性物品１のサイド弾性部材３０の全長Ｌ７は、第２のサブ配列４９の各吸収性物品１のサイド弾性部材３０の全長Ｌ７より少なくとも１５％短く、具体的には少なくとも２０％短く、より具体的には少なくとも２５％短い。
【００７０】
サイド弾性部材３０は、バック・セグメント１８またはミドル・セグメント１９から吸収性コア５のフロント・エッジ１５に向かって延び得る。
【００７１】
第１のサブ配列の吸収性物品１、すなわち、女性用に適合された物品については、吸収性物品１の横方向中心線２３の間から吸収性物品コア５のフロントコア・エッジまで延びるサイド弾性部材３０の長手方向長さＬ４は、吸収性物品１の横方向中心線２３の間から第２のサブ配列の吸収性物品コア５のフロントコア・エッジまで延びるサイド弾性部材３０の長手方向長さＬ４よりも小さい。
【００７２】
図面の図４では、男性のユーザに適合された第２のサブ配列４９の使い捨てパンツ型吸収性物品１の例示的な実施形態が、平坦で組み立てられていない状態で概略的に示されている。図３の女性ユーザに適合された物品１と共有される特徴は、同じ符号を有する。パンツ型吸収性物品１は、折り畳まれていない平坦な状態で、吸収性インサート２の伸長方向と実質的に平行な長手方向Ｙを含む。横方向Ｘは、長手方向Ｙに対して垂直であり、図４の吸収性物品１の材料や弾性領域のレイアウトなどの特性は、後述しない限り、図３の吸収性物品１の特性と同じである。
【００７３】
コア５は、フロント・セグメント１７内に幅広部分２２を有する。幅広部分２２は、バック・セグメント１８内のコア５の横方向Ｘにおける最大幅Ｗ２の少なくとも１.１倍大きい横方向Ｘにおける幅Ｗ１を有する。言い換えれば、バック・セグメント１８内のコア５の最大横幅Ｗ２の１.１倍以上の横方向幅Ｗ１を有するフロント・セグメント１７の全ての部分は、１つ以上の幅広部分２２を画定する。したがって、横方向幅Ｗ１は、幅広部分２２の長さＬ５にわたって変化してもよく、必ずしも一定ではない。実際、横方向幅Ｗ１は、フロント・セグメント１７がより丸く、より長方形の少ない外形を有するとすぐに、幅広部分２２の長さＬ５にわたって変化する傾向がある。長さＬ５は、幅Ｗ１が、バック・セグメント１８内のコア５の最大横幅Ｗ２の１.１倍、またはそれ以上である幅広部分２２の長さとして定義される。図２において、バック・セグメント１８内のコア５の最大横幅Ｗ２の正確に１.１倍大きい制限幅は、Ｗ３で示されている。したがって、図２では、幅広部分２２の長手方向長さＬ５は、幅Ｗ３によって画定され、吸収性物品１の長手方向中心線の周りを中心とする長手方向コア・エッジ１４との交点によって画定される。
【００７４】
幅広部分２２は、ミドル・セグメント１９内に下方に延び得る。幅広部分２２は、典型的には、ミドル・セグメント１９の５０％未満、具体的には３５％未満、より具体的には、２０％未満に延在する。
【００７５】
コア５は、典型的には、主にフロント・セグメント１７上に配置された単一の幅の幅広部分２２を備える。
【００７６】
一般に、男性ユーザ用に適合された物品１については、フロント・セグメント１７、すなわちフロントコア領域４０の領域は、バック・セグメント１８、すなわちバックコア領域４１の面積の１.２倍よりも大きい。
【００７７】
コア５はまた、長手方向コア・エッジ１４に沿って延在するサイド弾性部材３０を有する。サイド弾性部材３０は、コア５のフロント・セグメント１７の横方向サイドに沿ってサイド・ギャザー効果をもたらすように配置されている。集合効果は、サイド弾性部材３０の領域内の吸収性コア５がサイド弾性部材３０の延長方向に収縮することを意味する。フロント・セグメント１７の横方向サイドに沿った吸収性物品１の材料のこの収縮効果は、吸収性物品１内の吸収性コア５の成形に役立ち、これによって、より快適で漏れのない確実な吸収性物品１を生成する。
【００７８】
吸収性コア５のフロント・エッジ１５からサイド弾性部材３０のエッジまでの長手方向距離は、５０ミリメートル未満、特に３０ミリメートル未満であり得る。サイド弾性部材３０は、吸収性コア５のフロント・エッジ１５を越えて吸収性物品１のフロント・パネル・ウエスト・エッジ２０に向かって延び得る。サイド弾性部材３０は、吸収性物品１のシャーシ、および／またはインサート２の横方向サイド、および／または吸収性物品コア５の横方向サイドに取り付けることができる。
【００７９】
それぞれの細長いサイド弾性部材３０は、互いに平行に配置され、互いにギャップを有する、例えば２、３、または４本の弾性糸のような、１つ以上の個々の弾性糸を含み得る。長手方向Ｙにおけるサイド弾性部材３０の長さＬ７は、１５〜４５センチメートル、具体的には２０〜４０センチメートル、より具体的には２５〜３５センチメートルとすることができる。
【００８０】
図５ａ〜図５ｄは、コア５の別の設計による実施形態を示し、ここで、物品１のコア５のフロント・セグメント１７内の幅広部分２２は、図３の男性用に適合される。図５ａは、幅広部分２２の下側移行部３４と、幅広部分２２の下方部分のコア５の残りとを形成する丸みを帯びたエッジ２２を有する幅広部分２２を示す。幅広部分２２の中央部３６は、下側移行部３４と上側移行部３５との間に延在し、丸められた端部が、幅広部分２２の幅Ｗ１よりも狭いコア５の前側エッジ１５に隣接する幅Ｗ４に戻る上側移行部３５を形成する前に、長手方向Ｙにおいて実質的に直線である。幅Ｗ３は、幅広部分２２の幅が、バック・セグメント１８内のコア５の最大横幅Ｗ２の少なくとも１.１倍であることを示す。
【００８１】
図５ｂは、幅広部分２２の下側移行部３４を形成する直線を有する幅広部分２２と、幅広部分２２の底部のコア５の残りを示す。下側移行部３４と上側移行部３５との間の幅広部分２２の中央部３６は、直線が上側移行部３５を形成する前に、実質的に長手方向Ｙにおいて直線であり、幅広部分２２の幅Ｗ１よりも狭いコア５のフロント・エッジ１５に隣接する幅Ｗ４に戻る。幅Ｗ３は、幅広部分２２の幅が、バック・セグメント１８内のコア５の最大横幅Ｗ２の少なくとも１.１倍であることを示す。
【００８２】
図５ｃは、湾曲した形状を有する幅広部分２２を示す。幅広部分２２は、コア５の残りの部分から、湾曲した形状を有する中央部３６に直接移行する。湾曲した形状は、例えば、円または楕円の一部である。湾曲した形状の少なくとも最も幅広部分は、バック・セグメント１８内のコア５の横方向Ｘにおける最大幅Ｗ２の少なくとも１.１倍の幅を有する。幅広部分２２は、幅広部分２２の幅Ｗ１よりも狭いコア５のフロント・エッジ１５に隣接する幅Ｗ４に直接移行する。
【００８３】
図５ａ〜図５ｃにおいて、横方向Ｘにおけるコア５のフロント・エッジ１５に隣接するコア５の幅Ｗ４は、コア５のフロント・エッジ１７の残りの部分における横方向Ｘにおけるコア５の幅よりも小さくてもよい。横方向Ｘにおけるコア５のフロント・エッジ１５に隣接するコア５の幅は、横方向Ｘにおけるコア５のバック・セグメント１８におけるコア５の少なくとも一部の幅と等しくすることができる。
【００８４】
図５ｄは、コア５の幅広部分２２を示し、丸い端部が、幅広部分２２と、幅広部分２２の底部におけるコア５の残りの部分との間の下側移行部３４を形成する。幅広部分２２の中央部３６は、長手方向Ｙにおいて実質的に直線であり、この例では、幅の狭い上側移行部３５はなく、幅の幅広部分２２は、その幅をコア５のフロント・エッジ１５に維持する。
【００８５】
幅広部分２２の長さＬ５は、幅広部分２２の幅がリア・セグメント１８の最大幅Ｗ２の少なくとも１.１倍である場合から測定される。図から分かるように、幅広部分２２は、フロント・セグメント１７の長さＬ１よりも長手方向長さＬ５が大きいか、またはフロント・セグメント１７の長さＬ１よりも短い長手方向長さＬ５を有し得る。さらに、下側移行部３４および上側移行部３５は、同じ形状を有する必要はない。さらに、移行部３４、３５の形状は、単なる例示であって、図示されたもの以外の形状をとることができる。
【００８６】
幅広部分２２は、長手方向Ｙにおいて、３０〜２００ミリメートル、具体的には４０〜１８０ミリメートル、より具体的には５０〜１６０ミリメートルの範囲で延びる。幅広部分２２は、コア５のフロント・セグメント１７の長さＬ１の２０〜１３０％、具体的には２５〜１２０％、より具体的には３０〜１００％の範囲で、長手方向Ｙに延びる。
【００８７】
男性用に適合された吸収性物品１のコア５のフロント・セグメント１７は、コア５のバック・セグメント１８の領域４１よりも少なくとも１.１倍大きく、具体的には少なくとも１.２倍大きく、少なくとも１.３倍大きい領域４０を有する。
【００８８】
図６は、図２および図３の吸収性物品１において、吸収性物品１内に弾性体がどのように配置されているかの例を示す。フロント・パネル３の積層ウェブ材料は、フロント・パネル３のレッグ・エッジ２１ａ、２１ｂに沿って延在する第１の少なくとも部分的弾性領域１１を含み、それによってレッグ弾性機構を画定する。フロント・パネル３の積層ウェブ材料は、フロント・パネル３のウエスト・エッジ２０に向かって第１の少なくとも部分的弾性領域１１に隣接して配置された第２の少なくとも部分的弾性領域１２をさらに含む。第２の少なくとも部分的弾性領域１２は、第２の少なくとも部分的弾性領域１２の大きさに応じて、ユーザの腹部上に延び得るので、弾性腹部領域と呼ばれ得る。フロント・パネル３の積層ウェブ材料は、主として横方向Ｘに延在する第３の少なくとも部分的弾性領域１３を有し、フロント・パネル・ウエスト・エッジ２０に隣接して配置される。
【００８９】
フロント・パネル３の第１の少なくとも部分的弾性領域１１は、例えば、２〜８ミリメートルのほぼ等間隔で並列に配置された複数の弾性糸を含んでもよく、例えば、４〜６本の弾性糸を含み得る。弾性糸の各々は、実質的に等しい質量密度を有してもよく、例えば、６００〜１２００デシテックス(decitex)の範囲、具体的には７５０〜１０００デシテックスの範囲にある。
【００９０】
フロント・パネル３の第２の少なくとも部分的弾性領域１２は、典型的には、吸収性物品１の腹部部分に対応し、例えば、５〜１３ミリメートルのほぼ等間隔に配置された複数の弾性糸を備え、例えば、９〜２７本の弾性糸を備え得る。弾性糸の各々は、実質的に等しい質量密度を有してもよく、例えば、３５０〜９００デシテックスの範囲、具体的には５００〜７００デシテックスの範囲にある。フロント・パネル３の下部に対し、腹部に隣接する弾性糸の間に比較的大きな間隔を有することによって、大きく、快適な腹部が可能となる。
【００９１】
フロント・パネル３の第３の少なくとも部分的弾性領域１３は、例えば、２〜８ミリメートルのほぼ等間隔で並列に配置された複数の弾性糸を含んでもよく、例えば、４〜６本の弾性糸を含み得る。弾性糸の各々は、実質的に等しい質量密度を有してもよく、例えば、６００〜１２００デシテックスの範囲、具体的には７５０〜１０００デシテックスの範囲にある。
【００９２】
バック・パネル４の上部領域３１は、例えば、２〜８ミリメートルのほぼ等間隔で並列に配置された複数の弾性糸を含んでもよく、例えば、４〜６本の弾性糸を含み得る。弾性糸の各々は、実質的に等しい質量密度を有してもよく、例えば、６００〜１２００デシテックスの範囲、具体的には７５０〜１０００デシテックスの範囲にある。
【００９３】
バック・パネル４の中央領域３２は、例えば、５〜１３ミリメートルのほぼ等間隔で並列に配置された複数の弾性糸を含んでもよく、例えば、７〜１８本の弾性糸を含み得る。弾性糸の各々は、実質的に等しい質量密度を有してもよく、例えば、３５０〜９００デシテックスの範囲、具体的には５００〜７００デシテックスの範囲にある。
【００９４】
ユーザの臀部上に延びるバック・パネル４の下部領域３３は、実質的に等間隔である１０〜３０ミリメートルの間隔で平行に配置された複数の弾性糸を含んでもよく、３〜９本の弾性糸を含み得る。弾性糸の各々は、３５０〜９００デシテックスの範囲、特に５００〜７００デシテックスの範囲で、実質的に等しい質量密度を有し得る。
【００９５】
サイド・シーム６ａ、６ｂに接着剤を含まないようにすることは有利であって、吸収性物品１の製造中に、連続的な弾性糸が、サイド・シーム６ａ、６ｂの領域内で、連続的な材料バンドを個々の吸収性物品に分割するのに必要な切断作動時にスナップバックする。したがって、材料の幅狭の長手方向ストリップ２４ａ、２４ｂは、図２に弾性糸が取り付けられていない状態で示されている。したがって、図２に示すように、第１、第２、および第３の弾性領域１１、１２、１３は、必ずしもフロント・パネル３のエッジ９ａ、９ｂまで延びていない。バック・パネル４についても同様である。
【００９６】
あるいは、フロント・パネル３とバック・パネル４の両方は、ユーザのウエストに向かって配置されることを意図した実質的に長方形の形状のメイン・セクションと、ユーザのクロッチに向かって配置されることを意図した実質的に台形の形状の部分とからなる形状を有する。もちろん、前述した概略形状におけるあるレベルの変形が可能である。そのような実施形態（図示されていない）では、第１の少なくとも部分的弾性領域１１の弾性領域は、湾曲部分を含み得る。
【００９７】
図７は、使い捨てパンツ型の性別吸収性物品１の配列４７を含むパッケージ４６の配列を示す。吸収性物品の第１のサブ配列４８は、女性ユーザに適合し、第１のパッケージ４２内にパックされた複数の第１のサイズの吸収性物品１と、女性ユーザに適合し、第２のパッケージ４３内にパックされた複数の第２のサイズの吸収性物品１とを含み得る。吸収性物品の第２のサブ配列４９は、男性ユーザのために複数の第３のサイズの吸収性物品を含み、第３のパッケージ４４内にパックされる。また、第４のサイズの吸収性物品は、男性ユーザのために適合され、第４のパッケージ４５内にパックされる。パッケージ４６の配列における第１〜第４のパッケージ４２、４３、４４、４５の各々は、その中の使い捨てパンツ型吸収性物品のサイズおよび／または適した性別を示す外部マーキングを含む。このような配列は、例えば、吸収性物品を販売するスーパーマーケットまたは食料品店に見られる。
【００９８】
全ての測定は、サイド・エッジ９ａ、９ｂ、１０ａ、１０ｂを接合して、吸収性物品のサイド・シーム６ａ、６ｂを形成する前に実施されるか、或いは、サイド・シーム６ａ、６ｂで製品を切断し、拡張され、伸張された状態で平坦に保持されて実施され、吸収性物品１が、吸収性物品１に含まれるすべての弾性体が、製品のいずれの部分も収縮されなくなる程度まで、長手方向および横方向の両方向に拡張され、吸収性物品１全体が、完全に平坦で、収縮されていない状態にする。物品１は、この平坦な状態に達する範囲にのみ拡張される。
【００９９】
「吸収性物品」とは、尿および／または血液のような体液を吸収する、或いは、吸収するように構成された物品を意味する。
【０１００】
フロント・パネルおよびバック・パネルを形成する本願の不織材料層またはウェブは、例えば、スパンボンド(spunbond)、エ配列ド(air laid)、ウェットレイド(wet laid) 、カード(carded)、エレクトロスパンド(electro spunned)、またはメルトブローン(meltblown)不織布から選択することができる。不織材料は、例えば、ニードリング、ハイドロエンタングリング、または熱接合等の複数の技術によって接合され得る。
【０１０１】
開示された製品の不織材料は、天然および合成材料の混合物である。天然繊維は、例えば、セルロース繊維または再生セルロースからの繊維である。
【０１０２】
用語「弾性糸」は、弾性材料、例えば、天然または合成ゴム、熱可塑性エラストマー、例えば、熱可塑性ポリウレタンまたはスチレンブロック共重合体またはエラスタン、スパンデックス（ポリウレタン・ポリウレア共重合体）からなる弾性ストランドまたは弾性糸を意味することが意図されている。糸は、商品名「ＬＹＣＲＡ」で入手可能なエラスタン・タイプであってもよいが、任意の適切な弾性糸が使用され得る。糸は、約８０〜１２００ｄｔｅｘの直線質量密度ｄｔｅｘを有し得る。
【０１０３】
弾性糸は、製造プロセスの間、最初の張力を受けていない元の長さの約５０〜約３００％、より好ましくは１００〜２５０％、最も好ましくは、最初の張力を受けていない元の長さの１５０〜２２０％まで伸長される。弾性糸は、製造工程で破壊することなく安全に使用できるように、破壊することなく少なくとも約２００％の伸びに耐えることができるタイプであることが好ましい。
【０１０４】
弾性ウェブ材料に関するさらなる情報は、その全体が参照される国際公開第２０１４／０９８６８３号に開示されている。
【０１０５】
吸収性コア５は、放出された生体排出物を吸収するのに適した任意の従来の材料、例えば、セルロースフラッフパルプ(cellulosic fluff pulp)、組織層、高吸収性ポリマー（超吸収体）、ヒドロゲル・発泡(hydrogel-foam)材料を含む吸収性発泡材料、吸収性不織材料などを含み得る。
【０１０６】
吸収性コア５は、ユーザの皮膚に面することを意図した側に配置された液体透過性トップシートと、ユーザの衣服に面することを意図した吸収性本体の側に配置された液体不透過性バックシートとを有し得る。一般に、液体透過性トップシートは、不織材料を含むか、または不織材料から成る。トップシート材料は、さらに、牽引繊維(tow fibres)、多孔質発泡体、開口プラスチックフィルムなどから構成され得る。上述のように、トップシート材料として適した材料は、軟らかく、皮膚に対して刺激性がなく、例えば、尿または月経液などの体液によって容易に透過され、低い再湿潤特性を示すことが好ましい。
【０１０７】
液体不透過性バックシートは、例えば、ポリエチレンまたはポリプロピレンフィルム、液体不浸透性材料で被覆された不織材料、液体浸透性またはプラスチックフィルムおよび不織材料の積層体に抵抗する疎水性不織材料などの薄いプラスチックフィルムから構成され得る。バックシート材料は、液体がバックシート材料を通過するのを防ぎながら、蒸気が吸収性物品から逃れることを可能にするように通気可能であり得る。
【０１０８】
トップシートとバックシートは、例えば、熱または超音波による接着結合、接着剤、或いは、溶接によって互いに接続することができる。トップシートおよび／またはバックシートは、接着剤、熱結合等の当技術分野で公知の任意の方法によって吸収性物品に更に取り付けることができる。
【０１０９】
吸収性コア５のトップシートおよびバックシートは、吸収性コア５の領域を越えて外側に延び、それによって、吸収性コア５を含む吸収性インサート２を画定することができる。吸収性コア５の最大幅は、典型的には、横方向Ｘにおいて約８０〜１５０ｍｍであり、吸収性コア５の最大長Ｌ６は、典型的には、長手方向Ｙにおいて４００〜６００ｍｍである。
【０１１０】
吸収性コア５は、フロント・パネル３と約５０〜１００ｍｍの長さで重なり合うことができる。さらに、吸収性コア５は、本体パネル４と約２００〜２５０ｍｍの長さで重なり合うことができ、或いは、吸収性コア５は、約３０〜７０ｍｍの長さでバック・パネル４のメイン・セクション２８と重なり合うことができる。
【０１１１】
請求項に記載された参照符号は、請求項によって保護される特徴の範囲を限定するものとみなされるべきではなく、その唯一の機能は、請求項を理解しやすくすることである。
【０１１２】
本願の明細書から理解されるように、本願は、添付の特許請求の範囲の範囲から逸脱することなく、様々な自明な点で修正可能である。したがって、図面およびその説明は、本質的に例示であって、限定的なものではないとみなされるべきである。本吸収性物品およびその成分および方法は、開示された特定の形態に限定されるものではないことを理解されたい。むしろ、それらは、特許請求の範囲に含まれるすべての変形、均等物、および代替物を含むことを意図している。それらは、さらに、開示された実施形態からの特徴、およびそれらの変形を組み合わせることによって形成され得る実施形態を含むことを意図している。
【符号の説明】
【０１１３】
１  吸収性物品
２  吸収性インサート
３  フロント・パネル
４  バック・パネル
５  吸収性コア
６ａ、６ｂ  サイド・シーム
７  ウエスト開口部
８  レッグ開口部
９ａ、９ｂ  フロント・パネル・サイド・エッジ
１０ａ、１０ｂ  バック・パネル・サイド・エッジ
１１  第１の少なくとも部分的弾性領域
１２  第２の少なくとも部分的弾性領域
１３  第３の少なくとも部分的弾性領域
１４  長手方向コア・エッジ
１５  フロントコア・エッジ
１６  バックコア・エッジ
１７  フロント・セグメント
１８  バック・セグメント
１９  ミドル・セグメント
２０  フロント・パネル・ウエスト・エッジ
２１ａ、２１ｂ  フロント・パネル・レッグ・エッジ
２２  幅広部分
２３  横方向中心線
２４  長手方向ストリップ
２５  バック・パネル・ウエスト・エッジ
２７ａ、２７ｂ  バック・パネル・レッグ・エッジ
２８  バック・パネルのメイン・セクション
２９  バック・パネルの台形断面
３０  サイド弾性部材
３１  上部領域
３２  中央領域
３３  下部領域
３４  下側移行部
３５  上側移行部
３６  中央部
３７  フロント・パネルのメイン・セクション
３８  フロント・パネル台形断面
４０  フロントコア領域
４１  バックコア領域
４２  第１のパッケージ
４３  第２のパッケージ
４４  第３のパッケージ
４５  第４のパッケージ
４６  パッケージの配列
４７  配列
４８  第１のサブ配列
４９  第２のサブ配列
５０  吸収性インサートのバック・エッジ
Ｗ１  フロント・セグメントの幅 
Ｗ２  バック・セグメントにおけるコアの最大幅
Ｗ３  幅広部分を画定する制限幅
Ｗ４  フロント・エッジに隣接するコアの幅
Ｗ５  吸収性インサートの幅
Ｗ６  フロント・パネルの幅
Ｌ１  フロント・セグメントの長さ
Ｌ２  バック・セグメントの長さ
Ｌ３  ミドル・セグメントの長さ、
Ｌ４  吸収性物品の横方向中心線の間をフロントコア・エッジに向かって延びるサイド弾性部材の長手方向長さ
Ｌ５  幅広部分の長さ
Ｌ６  吸収性コアの長さ
Ｌ７  サイド弾性部材の全長
Ｌ８  吸収性インサートの長さ
Ｌ９  物品の全長
Ｌ１０  フロント・パネルのウエスト・エッジから横方向中心線までの距離
Ｌ１１  吸収性物品の横方向中心線と吸収性インサートのバックコア・エッジとの間の長手方向長さ
Ｌ１２ フロント・パネルとバック・パネルとの間の最小長手方向距離
【図１ａ】
0006925440.tif 000002
【図１ｂ】
0006925440.tif 000003
【図２】
0006925440.tif 000004
【図３】
0006925440.tif 000005
【図４】
0006925440.tif 000006
【図５】
0006925440.tif 000007
【図６】
0006925440.tif 000008
【図７】
0006925440.tif 000009